(57)【要約】      （修正有）【課題】設定の手間を低減し、使い勝手の良い心電計を提供する。【解決手段】既存の検査モード（例えば図の「１２誘導検査」）の設定情報に加えて、ユーザにより新たに設定された新規の検査モード（例えば図の「病棟」、「検査室」）の設定情報を検査モードに紐付けて記憶部に記憶する。これにより、心電計が使われる場所や、ユーザが変わる度に、毎回設定を変更しなくても済むようになる。この結果、設定の手間を低減し、より使い勝手の良い心電計を実現できる。【選択図】図２０
2014033935.tif 000002
【特許請求の範囲】
【請求項１】
検査のための設定情報を入力する入力部と、
既存の検査モードの設定情報に加えて、前記入力部を介してユーザにより新たに設定された新規の検査モードの設定情報を当該検査モードに紐付けて記憶する記憶部と、
を具備する心電計。
【請求項２】
さらに、設定画面を表示する表示部を有し、
前記表示部は、前記既存の検査モードに紐付けられた一連の設定情報を表示し、
前記記憶部は、前記表示部に表示された設定情報から前記入力部を用いてユーザにより変更された設定情報を含む一連の設定情報を、新規の検査モードに紐付けて記憶する、
請求項１に記載の心電計。
【請求項３】
設定画面を表示する表示部と、ユーザからの設定情報を入力する入力部と、設定情報を記憶する記憶部と、を有する心電計であって、
前記表示部は、既に登録されている複数の検査モード名を表示するとともに、前記複数の検査モード名の中でユーザにより選択された検査モードに関する、一連の設定情報を順次表示し、
前記記憶部は、前記表示部に表示された設定情報から前記入力部を用いてユーザにより変更された設定情報を含む一連の設定情報を、ユーザにより作成された新たな検査モード名に紐付けて、新規に記憶する、
心電計。
【請求項４】
前記記憶部には、
複数の基本検査モードと、
各基本検査モードに属する単数又は複数の検査モードと、
各検査モードに紐付けられた一連の設定情報と、
が記憶され、
前記一連の設定情報は、前記各検査モード単位で変更可能である、
請求項１から請求項３のいずれか一項に記載の心電計。
【請求項５】
前記表示部は、検査モード名に付随させて、前記検査モードが属する基本検査モードを表す識別マークや識別するための色やボタン形状を表示する、
請求項２から請求項４のいずれか一項に記載の心電計。
【請求項６】
同一の基本検査モード内においては、重複する検査モード名の存在を許可せず、
異なる基本検査モード間においては、重複する検査モード名の存在を許可する、
請求項１から請求項５のいずれか一項に記載の心電計。
【請求項７】
前記基本検査モードは、１２誘導検査、不整脈検査、リズム計測検査、マスターテスト検査及び又は負荷後検査である、
請求項４又は請求項６に記載の心電計。
【請求項８】
心電計により行われる心電計の設定方法であって、
一連の設定情報が紐付けられた第１の検査モードを記憶するステップと、
前記第１の検査モードと同一の基本検査モードであるが、前記第１の検査モードとは一連の設定情報のうちの少なくとも一つの設定情報が異なる第２の検査モードを記憶するステップと、
を含む心電計の設定方法。
【請求項９】
心電計により行われる心電計の設定方法であって、
既に登録されている複数の検査モード名を表示するステップと、
前記複数の検査モード名の中でユーザにより選択された検査モードに関する、一連の設定情報を順次表示するステップと、
前記表示された設定情報からユーザにより変更された設定情報を含む一連の設定情報を、ユーザにより作成された新たな検査モード名に紐付けて記憶するステップと、
を含む心電計の設定方法。
【請求項１０】
同一の基本検査モード内においては、重複する検査モード名の存在を許可せず、
異なる基本検査モード間においては、重複する検査モード名の存在を許可する、
請求項８又は請求項９に記載の心電計の設定方法。
【発明の詳細な説明】
【技術分野】
【０００１】
本発明は、心電図を得る心電計及びその設定方法に関する。
【背景技術】
【０００２】
従来、心臓疾患の診断指標として、心電図が広く用いられている。心電図は、心臓の電気的な活動を体表面で検出し、それを心電波形として表したものである。この心電波形（心電図）を解析することで、心臓の活動に関する様々な情報を得ることができる。
【０００３】
近年では、心電図をデータ化して記録するデジタル心電計の開発により、コンピュータを用いて心電図を自動解析することが可能になり、心電図から得られる様々なパラメータについて検討がなされている（例えば特許文献１参照）。
【０００４】
また、一つの心電計で複数の検査（例えば、１２誘導検査、不整脈検査、リズム計測検査、マスターテスト検査など）を行うことができるものもある。このような複数の検査を行うことができる心電計では、一般に、タッチパネルや操作スイッチなどによって、これから行おうとする検査の種類の選択や、検査内容の設定、検査結果の出力方法の設定、を行うことができるようになっている。
【先行技術文献】
【特許文献】
【０００５】
【特許文献１】特開２００６−１１６２０７号公報
【発明の概要】
【発明が解決しようとする課題】
【０００６】
ところで、従来、１２誘導心電図は、検査室で行っていたが、近年では、救急の現場においても１２誘導検査が有用であるとの報告がなされている。実際に、病院に到着する前に、救急車の中で１２誘導心電図を記録し、病院へそのデータ伝送し、病院到着後、すぐに手術等の治療を行うケースが増えている。
【０００７】
ここで、救急の現場と、検査室とでは、同じ１２誘導検査でも、やり方、手順が違っており、救急の現場では、検査室での心電計の設定（記録時間等）をそのまま使うことができない。
【０００８】
具体的に説明する。救急（緊急事態）の場合は、重症度の高い患者が運ばれるため、解析に必要な所定の時間（例えば１０秒間）の安定したデータを短時間のうちに取得することが難しい。なぜなら、患者自身の動きによる体動や他の医療機器からのノイズ、患者への処置によるノイズがあるためである。このようなノイズがあるため、医療従事者が安定した心電図データの範囲を決め、心電計に解析させることは、慌しい救急の現場では困難である。そのため、救急で処置している間、心電図データを取得し続ける長時間の記録が要望されている。長時間の記録ができれば、後から安定した心電図データの範囲を決め、心電計に解析させることができる。また、長時間の記録ができれば、患者の急変にも対応できる。
【０００９】
一方、検査室の場合は、重症度の高い患者ではないため、解析に必要な所定の時間（例えば１０秒間）の安定したデータを短時間のうちに取得することができる。患者自身の動きによる体動や他の医療機器からのノイズ、患者への処置によるノイズがないためである。そのため、医療従事者がその場で安定した心電図データの範囲を決め、心電計に解析させることができる。
【００１０】
また、心電計は、検査室で使用するだけでなく、上記のように救急の現場やさらには病棟等で使用するようになってきたため、今までの機器単体による心電図記録だけでなく、データ転送により電子カルテなどの院内システムとの連携を行い、総合的に患者の情報を統合することが可能となっている。心電計の機能は、検査室用の機能だけでなく、あらゆる環境に対応できるよう、いろいろな設定が必要になった。しかしあらゆる環境に対応できるような設定を設けたため、熟練の者（設定の構造をよく理解している者）しか、設定変更を行うことが困難となってきている。
【００１１】
また、従来は院内の各部所（検査室、病棟、救急等）に置かれた医療機器を使用していたが、近年は院内のＭＥ機器の管理部門が集中的に医療機器を管理するようになっており、そのため、各部所に対し、必要に応じて管理部門から医療機器の貸し出しを行うようになっている。心電計についても同様である。つまり、病棟で使われていた心電計が、翌日には救急で使われることがあり、そのたびに心電計の設定を病棟用から救急用に変更する必要がある。
【００１２】
このように、心電計が使われる場所が変わる度に、毎回設定を変更するのは、非常に煩雑である。また、緊急で心電計を使用する場合には、設定変更をするための時間を確保できない場合も想定される。
【００１３】
このような背景の下、心電計には各部所に適した設定に素早く切り換えられるような機能が求められている。
【００１４】
本発明の目的は、設定の手間を低減し、使い勝手の良い心電計及びその設定方法を提供することである。
【課題を解決するための手段】
【００１５】
本発明の心電計の一つの態様は、
検査のための設定情報を入力する入力部と、
既存の検査モードの設定情報に加えて、前記入力部を介してユーザにより新たに設定された新規の検査モードの設定情報を当該検査モードに紐付けて記憶する記憶部と、
を具備する。
【００１６】
本発明の心電計の一つの態様は、
設定画面を表示する表示部と、ユーザからの設定情報を入力する入力部と、設定情報を記憶する記憶部と、を有する心電計であって、
前記表示部は、既に登録されている複数の検査モード名を表示するとともに、前記複数の検査モード名の中でユーザにより選択された検査モードに関する、一連の設定情報を順次表示し、
前記記憶部は、前記表示部に表示された設定情報から前記入力部を用いてユーザにより変更された設定情報を含む一連の設定情報を、ユーザにより作成された新たな検査モード名に紐付けて、新規に記憶する。
【００１７】
本発明の心電計の設定方法の一つの態様は、
心電計により行われる心電計の設定方法であって、
一連の設定情報が紐付けられた第１の検査モードを記憶するステップと、
前記第１の検査モードと同一の基本検査モードであるが、前記第１の検査モードとは一連の設定情報のうちの少なくとも一つの設定情報が異なる第２の検査モードを記憶するステップと、
を含む。
【００１８】
本発明の心電計の設定方法の一つの態様は、
既に登録されている複数の検査モード名を表示するステップと、
前記複数の検査モード名の中でユーザにより選択された検査モードに関する、一連の設定情報を順次表示するステップと、
前記表示された設定情報からユーザにより変更された設定情報を含む一連の設定情報を、ユーザにより作成された新たな検査モード名に紐付けて記憶するステップと、
を含む。
【発明の効果】
【００１９】
本発明によれば、心電計が使われる場所や、ユーザが変わる度に、毎回設定を変更しなくても済むようになるので、設定の手間を低減し、より使い勝手の良い心電計を実現できる。
【図面の簡単な説明】
【００２０】
【図１】実施の形態の心電計の外観構成を示す斜視図
【図２】心電計の要部構成を示すブロック図
【図３】タッチパネルに表示されるメニュー画面を示す図
【図４】設定一覧画面を示す図
【図５】「検査位置変更」のタブがタップされた状態の画面を示す図
【図６】「新規検査作成」のタブがタップされた状態の画面を示す図
【図７】新規検査名として「病棟」を、登録検査選択として「１２誘導検査」を入力した例を示す図
【図８】「全般」の設定を行うための画面を示す図
【図９】「誘導」の設定を行うための画面を示す図
【図１０】「結果表示」の設定を行うための画面を示す図
【図１１】「時系列比較」の設定を行うための画面を示す図
【図１２】「ファイル」の設定を行うための画面を示す図
【図１３】「画面」の設定を行うための画面を示す図
【図１４】「記録インターバル」の設定を行うための画面を示す図
【図１５】「フィルタ」の設定を行うための画面を示す図
【図１６】「１２誘導自動記録」における「全般」の設定を行うための画面を示す図
【図１７】「１２誘導自動記録」における「波形レポート」の設定を行うための画面を示す図
【図１８】「１２誘導自動記録」における「結果レポート」の設定を行うための画面を示す図
【図１９】「１２誘導自動記録」における「自動延長機能」の設定を行うための画面を示す図
【図２０】実施の形態における心電計１００によって行われる設定のイメージを示す図
【図２１】本実施の形態により許可されない、同一の基本検査モードに重複する検査モード名が存在する例を示す図
【図２２】本実施の形態により許可される、異なる基本検査モード間に重複する検査モード名が存在する例を示す図
【発明を実施するための形態】
【００２１】
以下、本発明の実施の形態について、図面を用いて詳細に説明する。
【００２２】
＜概略構成＞
図１は、本実施の形態の心電計の外観構成を示す斜視図である。心電計１００は、本体部１１０と、表示部１２０と、から構成されている。本体部１１０には、入力キー１０４やプリンタ部１０５が設けられている。表示部１２０にはタッチパネル１２１が設けられている。
【００２３】
本実施の形態の場合、タッチパネル１２１のサイズは、１５インチとなっている。１５インチのサイズは、概ねＡ４の用紙サイズに相当する。これにより、本実施の形態の心電計１００では、Ａ４サイズの用紙に記録したのと同様のレイアウト及び大きさの心電波形を、タッチパネル１２１上で見ることができるようになる。
【００２４】
図２は、心電計１００の要部構成を示すブロック図である。本体部１１０は、演算部１０１、測定部１０２、記憶部１０３、入力キー１０４及びプリンタ部１０５を有する。
【００２５】
演算部１０１は、心電図データ処理プログラムを実行することにより、心電波形の形成、及び、心電波形の解析などを行う。また、演算部１０１は、心電図データ処理プログラムの実行開始、実行停止及び実行条件（閾値など）設定、測定部１０２などの各種計測機器制御、タッチパネル１２１やプリンタ部１０５などの各種周辺機器制御を、入力コマンドに従って行う。
【００２６】
測定部１０２は、被検者（つまり、心電図計測の対象者）に装着される電極部に接続されており、電極部から入力される測定電圧に対して増幅処理などを施し、処理後の測定電圧を演算部１０１に出力する。因みに、測定部１０２には、通常、四肢用電極部及び胸部用電極部が接続されており、標準１２誘導心電図（以下、単に「１２誘導心電図」という）を得るために必要な電圧が入力される。
【００２７】
記憶部１０３は、ハードディスクドライブや半導体メモリなどにより構成される。記憶部１０３は、演算部１０１により得られた心電波形のデータ及びその解析データを記憶する。また、記憶部１０３は、測定部１０２から出力される測定データも記憶しておく。
【００２８】
さらに、記憶部１０３には、タッチパネル１２１又は入力キー１０４からユーザによって入力された、心電計１００の設定データも記憶される。心電計１００は、記憶部１０３に記憶された設定データに基づいて動作する。
【００２９】
タッチパネル１２１には、メニュー画面や各種の設定画面が表示され、ユーザは、タッチパネル１２１をタッチ操作することで、メニューの選択や各種の設定を行うことができるようになっている。また、タッチパネル１２１には、演算部１０１により得られた心電波形及び解析結果などが表示される。
【００３０】
プリンタ部１０５は、レーザ式やサーマルヘッド式などのプリンタであり、演算部１０１により得られた心電波形及び解析結果などを、ユーザによる指示に従ってプリントする。
【００３１】
＜設定＞
次に、本実施の形態における心電計１００の設定について説明する。主に、新規の検査登録の設定について説明する。
【００３２】
図３は、タッチパネル１２１に表示されるメニュー画面を示す。メニュー画面には、複数の項目が含まれており、ユーザがそのうちの１つの項目をタップすると、その項目に関連する画面が続いて表示される。メニュー画面で表示される項目には、「機能設定」の項目が含まれている。「機能設定」の項目がタップされると、タッチパネル１２１に、図４に示す画面が表示される。
【００３３】
図４は、設定一覧画面を示す。ユーザは、設定一覧の中から、設定したい項目をタップする。設定一覧画面で表示される項目には、「検査登録」の項目が含まれている。「検査登録」の項目がタップされると、図５に示す画面が表示される。
【００３４】
ユーザは、図５及び続く図６、図７の検査登録画面を用いながら、既に登録されている検査一覧の画面を変更したり、新たな検査を登録できるようになっている。
【００３５】
図５の画面は、「検査位置変更」のタブがタップされた状態の画面を示す。ユーザは、検査一覧の中の１つの検査項目をタップした状態で、十字キーを操作すれば、タップされた検査項目の位置を移動させることができる。
【００３６】
図６の画面は、「新規検査作成」のタブがタップされた状態の画面を示し、新規検査名の入力欄と、新規登録するためにベースとする検査を選択する選択欄（「登録検査選択」）とが表示される。
【００３７】
図７の画面は、新規検査名として「病棟」を、登録検査選択として「１２誘導検査」を入力した例を示している。このような新規検査を登録すると、図７の検査一覧に示す通り、新規登録された検査名「病棟」が検査一覧に追加される。なお、検査一覧の検査名には、ベースとなっている検査を示す識別マーク１３０が付随されて表示される。これにより、新規登録された検査がどの検査（基本検査モード）をベースとしているかを一目で認識できるようになる。なお、識別マーク１３０は、文字であってもよく、要はベースとなっている検査を示すことができるものであればよい。例えば、検査名を、ベースとなっている検査を示す色や形状を用いて表示するようにしてもよい。
【００３８】
図８〜図１９は、各検査に紐付けられて記憶される一連の設定情報を設定するための、設定画面を示す。
【００３９】
図８は、「全般」の設定を行うための画面を示す。図９は、「誘導」の設定を行うための画面を示す。図１０は、「結果表示」の設定を行うための画面を示す。図１１は、「時系列比較」の設定を行うための画面を示す。図１２は、「ファイル」の設定を行うための画面を示す。図１３は、「画面」の設定を行うための画面を示す。図１４は、「記録インターバル」の設定を行うための画面を示す。図１５は、「フィルタ」の設定を行うための画面を示す。
【００４０】
図１６、図１７、図１８、図１９は、それぞれ、「１２誘導自動記録」における、「全般」の設定、「波形レポート」の設定、「結果レポート」の設定、「自動延長機能」の設定、を行うための画面を示す。
【００４１】
本実施の形態における心電計１００によって行われる設定のイメージは、図２０に示すようになる。
【００４２】
新規の検査モードを登録する場合、心電計１００は、既存の検査モード（例えば図の「１２誘導検査」）の設定情報に加えて、ユーザにより新たに設定された新規の検査モード（例えば図の「病棟」、「検査室」）の設定情報を当該検査モードに紐付けて記憶部１０３に記憶する。
【００４３】
具体的には、タッチパネル１２１には、ベースとなる既存の検査モード（例えば図の「１２誘導検査」）に紐付けられた一連の設定情報が順次表示され、ユーザはタッチパネル１２１に表示された設定情報を変更し、この変更された設定情報を含む一連の設定情報を、新規の検査モード（例えば図２０の「病棟」や「検査室」）に紐付けて記憶部１０３に記憶する。
【００４４】
ここで、記憶部１０３には、複数の基本検査モード（例えば「１２誘導検査」、「不整脈検査」、「リズム計測検査」、「マスターテスト検査」、「負荷後検査」など）と、各基本検査モードに属する単数又は複数の検査モード（例えば図２０の「病棟」、「検査室」など）と、各検査モードに紐付けられた一連の設定情報と、が記憶され、この一連の設定情報は、各検査モード単位で変更可能とされている。
【００４５】
本実施の形態によれば、既存の検査モード（例えば図２０の「１２誘導検査」）の設定情報に加えて、ユーザにより新たに設定された新規の検査モード（例えば図２０の「病棟」、「検査室」）の設定情報を当該検査モードに紐付けて記憶部１０３に記憶したことにより、心電計が使われる場所や、ユーザが変わる度に、毎回設定を変更しなくても済むようになる。この結果、設定の手間を低減し、より使い勝手の良い心電計１００を実現できる。
【００４６】
また、既に登録されている検査モードの設定情報をベースにして、それを変更することで、新規の検査モードの設定情報を作成するようにしたので、新規の検査モードの設定情報を容易に作成できる。例えば、すでに登録されている図の「病棟」検査モードの設定情報をベースにして、新規の「西３Ｆ病棟」検査モードの設定情報を容易に作成できる。
【００４７】
さらに、検査モード名に付随させて、検査モードが属する基本検査モードを表す識別マーク１３０を表示するようにしたので、ユーザは、基本検査モードが何であるかを容易に認識できるようになる。
【００４８】
因みに、本実施の形態においては、同一の基本検査モード内においては、重複する検査モード名の存在を許可せず、異なる基本検査モード間においては、重複する検査モード名の存在を許可するようになっている。例えば、図２１のように、同一の基本検査モード（図の場合、「１２誘導検査」）に重複する検査モード名（図の場合、「病棟」）が存在することは許可しない。一方で、図２２のように、異なる基本検査モード間（図の場合、「１２誘導検査」と「リズム計測検査」）に重複する検査モード名（図の場合、「病棟」）が存在することは許可する。
【００４９】
なお、上述の実施の形態では、タッチパネル１２１を採用したが、これに限らず、表示部と入力部が分かれて構成されていてもよい。例えば、上述の実施の形態のような画像を表示部に表示し、マウスカーソルを用いて各項目を選択してもよい。
【００５０】
以上、本発明の実施の形態について説明した。なお、以上の説明は本発明の好適な実施の形態の例証であり、本発明の範囲はこれに限定されない。つまり、上記実施の形態において説明した装置の構成および動作は例であり、これらを本発明の範囲において部分的に変更、追加および削除できることは明らかである。
【符号の説明】
【００５１】
１００  心電計
１０１  演算部
１０２  測定部
１０３  記憶部
１０４  入力キー
１０５  プリンタ部
１１０  本体部
１２０  表示部
１２１  タッチパネル
１３０  識別マーク
【図１】
2014033935.tif 000003
【図２】
2014033935.tif 000004
【図２０】
2014033935.tif 000005
【図２１】
2014033935.tif 000006
【図２２】
2014033935.tif 000007
【図３】
2014033935.tif 000008
【図４】
2014033935.tif 000009
【図５】
2014033935.tif 000010
【図６】
2014033935.tif 000011
【図７】
2014033935.tif 000012
【図８】
2014033935.tif 000013
【図９】
2014033935.tif 000014
【図１０】
2014033935.tif 000015
【図１１】
2014033935.tif 000016
【図１２】
2014033935.tif 000017
【図１３】
2014033935.tif 000018
【図１４】
2014033935.tif 000019
【図１５】
2014033935.tif 000020
【図１６】
2014033935.tif 000021
【図１７】
2014033935.tif 000022
【図１８】
2014033935.tif 000023
【図１９】
2014033935.tif 000024